(57)【要約】【課題】  電気光学装置において高品質な表示と狭ピッチ化を実現する。【解決手段】  走査線駆動部及びデータ線駆動部は、表示面が前記走査線に沿った分割線により夫々ｎ（但し、ｎは２以上の自然数）本の走査線を含むように分割されてなる２Ｍ（但し、Ｍは自然数）個の部分面のうちデータ線に沿った方向に奇数番目の部分面を構成する画素部を第１の周期で面反転駆動すると共に、偶数番目の部分面を構成する画素部を第１の周期と相補の第２の周期で面反転駆動する。走査線駆動部は、２Ｍ個の部分面の各々から一本ずつ選択される走査線に対して同時に転送信号を出力するシフトレジスタ、及びイネーブル期間が相異なる２Ｍ個のイネーブル信号が入力されると共に、イネーブル信号と転送信号との論理積をパルス信号として出力する出力制御手段を含み、奇数番目の部分面を構成する画素部に対する水平走査と偶数番目の部分面を構成する画素部に対する水平走査とを交互に行う。【選択図】      図１０
2005227757.tif 000002
【特許請求の範囲】
【請求項１】
互いに交差して延びる複数のデータ線及び複数の走査線と、各々が前記データ線及び前記走査線に接続され、表示面を構成する複数の画素部とを備えた電気光学装置を駆動するために用いられる電気光学装置用駆動回路であって、
前記複数の走査線の各々にパルス信号を供給し、前記画素部の水平走査を逐次行う走査線駆動部と、
前記複数のデータ線に画像信号を供給するデータ線駆動部と
を備え、
前記走査線駆動部及びデータ線駆動部は、前記表示面が前記走査線に沿った分割線により夫々ｎ（但し、ｎは２以上の自然数）本の走査線を含むように分割されてなる２Ｍ（但し、Ｍは自然数）個の部分面のうち前記データ線に沿った方向に奇数番目の部分面を構成する前記画素部を、第１の周期で面反転駆動すると共に、前記複数の部分面のうち偶数番目の部分面を構成する前記画素部を、前記第１の周期と相補の第２の周期で面反転駆動し、
前記走査線駆動部は、前記２Ｍ個の部分面の各々から一本ずつ選択される走査線に対して同時に転送信号を出力するシフトレジスタ、及び相異なるイネーブル期間を規定する２Ｍ個のイネーブル信号が入力されると共に、前記イネーブル信号と前記転送信号とに基づいて前記パルス信号を出力する出力制御手段を含み、前記奇数番目の部分面を構成する画素部に対する水平走査と前記偶数番目の部分面を構成する画素部に対する水平走査とを交互に行う
ことを特徴とする電気光学装置用駆動回路。
【請求項２】
前記出力制御手段は、(i)前記２Ｍ個のイネーブル信号が入力されると共に前記２Ｍ個のイネーブル信号のうちいずれか一つと前記転送信号とが入力端子に入力される相補型トランジスタからなるＡＮＤ回路と(ii)前記ＡＮＤ回路の出力端子に接続されたインバータ回路とを含んで構成されていることを特徴とする請求項１に記載の電気光学装置用駆動回路。
【請求項３】
前記出力制御手段は、前記シフトレジスタの前記転送信号の出力期間内に、前記２Ｍ個のイネーブル信号の入力タイミングに応じて前記出力期間における前記パルス信号の入力対象である２Ｍ本の走査線に対し順に前記パルス信号を供給することを特徴とする請求項２に記載の電気光学装置用駆動回路。
【請求項４】
前記２Ｍ個のイネーブル信号の各信号線は、前記表示面と前記シフトレジスタとの間に延設され、前記２Ｍ個の部分面の各々から一本ずつ選択される、前記部分面内での配列順が相異なる走査線に対応するように支線が分岐していることを特徴とする請求項２又は３に記載の電気光学装置用駆動回路。
【請求項５】
前記走査線駆動回路部及び前記データ線駆動回路部は、一画面分の表示期間内に、一画面分の画像信号の書き込みを一回毎に極性を反転させながら連続してｎ回行うことを特徴とする請求項２から４のいずれか一項に記載の電気光学装置用駆動回路。
【請求項６】
前記走査線駆動部は、前記奇数番目の部分面及び前記偶数番目の部分面の夫々における、又は前記部分面内における前記画素部の水平走査を、前記データ線に沿った方向の順序についてランダムな順序で行うことを特徴とする請求項２に記載の電気光学装置用駆動回路。
【請求項７】
前記ＡＮＤ回路におけるトランジスタの閾値電圧は、前記インバータ回路のインバータとしての閾値電圧よりも小さいことを特徴とする請求項２又は６に記載の電気光学装置用駆動回路。
【請求項８】
前記ＡＮＤ回路及び前記インバータ回路は、前記複数の走査線の各々に対応する複数の単位回路からなり、該複数の単位回路の夫々は、前記表示面に隣接すると共に互いに並列するように設けられた、複数の単位領域に形成されていることを特徴とする請求項２、６及び７のいずれか一項に記載の電気光学装置用駆動回路。
【請求項９】
請求項１から８のいずれか一項に記載の電気光学装置用駆動回路を備えたことを特徴とする電気光学装置。
【請求項１０】
互いに交差して延びる複数のデータ線及び複数の走査線と、各々が前記データ線及び前記走査線に接続され、表示面を構成する複数の画素部とを備えた電気光学装置に適用される電気光学装置用駆動方法であって、
前記表示面が前記走査線に沿った分割線により夫々ｎ（但し、ｎは２以上の自然数）本の走査線を含むように分割されてなる２Ｍ（但し、Ｍは自然数）個の部分面のうち前記データ線に沿った方向に奇数番目の部分面を構成する前記画素部を、第１の周期で面反転駆動すると共に、前記複数の部分面のうち偶数番目の部分面を構成する前記画素部を、前記第１の周期と相補の第２の周期で面反転駆動し、
前記２Ｍ個の部分面の各々から一本ずつ選択される走査線に対して同時に転送信号を出力すると共にイネーブル期間が相異なる２Ｍ個のイネーブル信号を出力し、前記イネーブル信号と前記転送信号とに基づいて前記パルス信号を出力することにより、前記奇数番目の部分面を構成する画素部に対する水平走査と前記偶数番目の部分面を構成する画素部に対する水平走査とを交互に行う
ことを特徴とする電気光学装置用駆動方法。
【請求項１１】
前記論理積を前記パルス信号として出力する際に、(i)該複数のイネーブル信号のうちいずれか一つと前記転送信号とが入力端子に入力される相補型トランジスタからなるＡＮＤ回路と(ii)前記ＡＮＤ回路の出力端子に接続されたインバータ回路とを利用して出力することを特徴とする請求項１０に記載の電気光学装置用駆動方法。
【発明の詳細な説明】
【技術分野】
【０００１】
本発明は、例えば液晶装置等の電気光学装置に用いられる駆動回路及び駆動方法、並びに該電気光学装置の技術分野に関する。
【背景技術】
【０００２】
この種の電気光学装置には、例えば液晶装置がある。その駆動方式には、液晶の焼付きや劣化を防ぐため、ドット反転、ライン反転、面反転等の反転駆動方式が採用されている。各反転駆動方式には一長一短があるが、ドット反転やライン反転の場合、クロストークが抑制できる利点がある反面、隣接する画素電極に逆極性の電位が書き込まれるため、隣接画素間で横電界が発生するという問題がある。横電界は、液晶配向を乱して光抜けを生じさせることから、コントラスト比低下や開口率低下といった表示品質低下の大きな要因となる。従って、今後の狭ピッチ化に際しては、横電界の影響が殆どない面反転駆動方式が有利であると考えられる。
【０００３】
その一方、面反転駆動方式には別の問題点がある。即ち、先ず面反転の場合、正極性フィールド（或いは、正極性フレーム）と負極性フィールド（或いは、負極性フレーム）とでは、中間電位に対する印加電圧が多かれ少なかれ非対称になるので、フィールド周期（或いは、フレーム周期）のフリッカが発生する。更に、あるデータ線に着目した場合に、当該データ線から信号が供給される全ての画素に対し、極性の反転周期を１フィールドとすると、所定の１フィールドでは同極性の画像信号が書き込まれる。そして、次のフィールドに移った瞬間、当該データ線に供給される画像信号の極性が反転する。このとき、表示領域は上から下へ走査されるので、表示領域の上側の画素部では、画像信号が書き込まれた後の保持期間の殆どの間、データ線に供給される画像信号の極性は、保持する信号電位と同極性となる。これに対し、下側の画素では、画像信号が書き込まれた後の保持期間の殆どの間、データ線には保持する信号電位と逆極性の画像信号が印加される状態となる。このように、表示領域の上側と下側とでデータ線の電位が画素電極に与える影響に違いがあると、表示領域の片側で画素部から電荷がリークし、適正な表示がなさないおそれがある。例えば、表示する輝度に上下方向の傾斜がついたり、黒い画像が影を引いたように見えたりすることがある。
【０００４】
画面の均一性を確保する手段としては、例えば特許文献１に、１水平期間内を第１期間と第２期間とに分割し、第１期間において走査線に駆動パルスを供給すると共にデータ線に画像信号を供給することによって各画素電極に画像信号を印加する一方、第２期間においては走査線に駆動パルスを供給せずにデータ線に前とは逆極性の画像信号を供給する技術が提案されている。
【０００５】
尚、このように駆動中に発生する表示ノイズを時間的、空間的に低減するための工夫は、面反転方式以外でもなされている。例えば特許文献２には、ＮＴＳＣ方式等のインタレース信号をノンインタレース表示する場合の信号の補間に関し、走査速度を倍速とし、１水平走査期間中に同じ映像信号を同一の極性パターンで反転させながら２ラインに書き込み、且つ、書き込みラインをフィールド毎に一ラインずつずらす駆動方式について開示されている。この技術では、連続する２フィールドで同一ラインに同極性の画像信号が書き込まれることに起因して、各画素部に直流成分が残ってしまうため、この直流成分による表示ノイズを緩和するように、更に極性の反転パターンを制御するように構成されている。
【０００６】
【特許文献１】特開平５−３１３６０８号公報
【特許文献２】特開平１０−２５３９３９号公報
【発明の開示】
【発明が解決しようとする課題】
【０００７】
しかしながら、特許文献１に記載された技術では、書き込みに用いることのできる時間が通常の半分になり、書き込みが不充分になる等の問題が生じる。また、特許文献２に記載された技術では、フリッカ等をある程度視認し難くすることができるが、ノイズ成分を低減させて根本的に表示品質を向上させるには、別の着想が必要と考えられる。尚、以上の問題は液晶装置に限ったものではなく、極性を反転させる駆動方式を適用する電気光学装置であれば原理的に同様の問題が生じる可能性がある。
【０００８】
本発明は、例えば上記問題点に鑑みなされたものであり、高品質な表示が可能であると共に狭ピッチ化が可能な電気光学装置用駆動回路及び電気光学装置用駆動方法、並びに、これらを適用した電気光学装置を提供することを目的とする。
【課題を解決するための手段】
【０００９】
本発明の電気光学装置用駆動回路は、上記課題を解決するために、互いに交差して延びる複数のデータ線及び複数の走査線と、各々が前記データ線及び前記走査線に接続され、表示面を構成する複数の画素部とを備えた電気光学装置を駆動するために用いられる電気光学装置用駆動回路であって、前記複数の走査線の各々にパルス信号を供給し、前記画素部の水平走査を逐次行う走査線駆動部と、前記複数のデータ線に画像信号を供給するデータ線駆動部とを備え、前記走査線駆動部及びデータ線駆動部は、前記表示面が前記走査線に沿った分割線により夫々ｎ（但し、ｎは２以上の自然数）本の走査線を含むように分割されてなる２Ｍ（但し、Ｍは自然数）個の部分面のうち前記データ線に沿った方向に奇数番目の部分面を構成する前記画素部を、第１の周期で面反転駆動すると共に、前記複数の部分面のうち偶数番目の部分面を構成する前記画素部を、前記第１の周期と相補の第２の周期で面反転駆動し、前記走査線駆動部は、前記２Ｍ個の部分面の各々から一本ずつ選択される走査線に対して同時に転送信号を出力するシフトレジスタ、及び相異なるイネーブル期間を規定する２Ｍ個のイネーブル信号が入力されると共に、前記イネーブル信号と前記転送信号とに基づいて前記パルス信号を出力する出力制御手段を含み、前記奇数番目の部分面を構成する画素部に対する水平走査と前記偶数番目の部分面を構成する画素部に対する水平走査とを交互に行う。
【００１０】
本発明の電気光学装置用駆動回路によれば、例えば、アクティブマトリクス駆動方式が採用され、走査線駆動部が走査線を水平走査して選択した画素部列に、データ線駆動部がデータ線を通じて画像信号を供給してデータの書き込みを行う。そして、これら走査線駆動部及びデータ線駆動部は、一つの表示面が走査線に沿った分割線により夫々ｎ（但し、ｎは２以上の自然数）本の走査線を含むように分割されてなる２Ｍ（但し、Ｍは自然数）個の部分面毎に面反転駆動を行う。その際、奇数番目の部分面と偶数番目の部分面とが、各フィールド期間において逆極性となるように駆動する。
【００１１】
本発明に係る「面反転」とは、一画面が形成される度に（換言すると、１フィールド分の画像信号を供給する度に）、画像信号の極性を反転させる駆動方式であり、反転周期が１フィールドである面反転駆動方式に相当する。但し、この場合の反転周期は、画像信号の長さに依拠したフィールド期間ではなく、あくまで一画面の表示期間である。例えば、倍速で書き込みを行い、通常の１フィールド期間に同じ画像を繰り返し書き込んで表示する場合には、供給されるのが同一信号であっても、やはり１フィールド分を供給する度に極性を反転させる。
【００１２】
このように部分面毎に面反転を行うことで、例えばライン反転駆動方式において問題となるライン間の境界における横電界の発生を抑制しつつ、同時に、表示面全域を面反転させる通常の面反転駆動方式において問題となるフリッカを抑制することが可能となる。
【００１３】
しかも、本発明の電気光学装置用駆動回路によれば、走査線駆動部は、水平走査を奇数番目の部分面を構成する画素部と偶数番目の部分面を構成する画素部とに交互に行う。ここで、走査線駆動部が「水平走査を交互に行う」とは、例えば２つの部分面に分割されていれば、これら２つの部分面に対して交互に行い、例えば４つの部分面に分割されていれば、これら４つの部分面に対して順繰りに行うといった意味である。即ち、画像信号の書き込みは、各部分面に対し並行して行われる。
【００１４】
そのための具体的手段として、走査線駆動部では、シフトレジスタが転送信号を２Ｍ個の部分面の各々から一本ずつ選択される走査線に対して同時に出力し、これに合わせて、イネーブル期間が相異なる２Ｍ個のイネーブル信号が入力される。これら２Ｍ個の転送信号及びイネーブル信号の夫々は出力制御手段に入力され、これら転送信号とイネーブル信号とに基づいてパルス信号が出力される。例えば、そこで論理積が求められ、パルス信号として出力される。その結果、２Ｍ個のパルス信号が、夫々対応するイネーブル期間に応じた相異なる期間に、２Ｍ本の走査線に対して出力される。
【００１５】
このようにして実現される水平走査は、正極性の部分面と負極性の部分面とに対して交互に行われる。このため、各データ線に供給される画像信号は交流化され、データ線の電位は、常に正負の間を変動して一方の極性に偏らないので、画素部に蓄積された電荷に影響を与えずに済む。本発明の発明者は、データ線における印加電圧のうち直流成分が、蓄積電荷をリークさせる要因となっていることに着目し、データ線に少しでも直流成分が重畳されないようにすること、即ち、画像信号を極力交流化することに想到する。ここでは部分面同士の極性も反転しているので、例えば、一本のデータ線で見て、上側の部分面に対する画素部には負極性で、下側の部分面に対する画素部には正極性で画像信号を書き込む場合、下側の画素部の書き込みを行うために正極性の画像信号を印加すると、データ線の電位は正（＋）となり、上側の画素部に蓄積された負（−）の電荷を引き付ける。尚、極性が逆の場合以外に、蓄積電荷による電位に比べてデータ線の電位が高くなる場合も、相対的にみれば同様のことが起きる。つまり、同じ部分面内や同極性の部分面間においても、このような現象が頻繁に生じると考えられる。
【００１６】
従って、本発明は、前述した従来からの問題点（データ線電位に影響される時間が長い分だけ、画面下側における蓄積電荷のリーク量が多く、輝度に上下方向の傾斜がつく）と併せて、直流の信号成分を排除するように駆動することによって蓄積電荷のリーク全般を防止し、表示ノイズを極めてよく抑えることを可能とする。
【００１７】
尚、このような目的で表示面を部分面に分割駆動するようにしたので、部分面は、正負の極性に対応して少なくとも２面あればよい。むしろ、あまり細かく分割すると、横電界が生じる境界が増大するので、部分面は少ない方が好ましいと考えられる。
【００１８】
このように本発明の駆動方式によれば、表示面を領域毎に面反転駆動させることで、横電界の発生を極力抑えるようにしたので、高いコントラスト比を維持すると共に狭ピッチ化を図ることが可能である。同時に、画像信号の極性が交互に入れ替わるように、その時点で書き込む画像信号の極性が異なる領域に対し、交互に水平走査を行うようにしたので、画像信号が交流化され、蓄積電荷のリーク全般を防止し、適正な表示を行うことを可能とする。
【００１９】
本発明の電気光学装置用駆動回路の一態様では、前記出力制御手段は、(i)前記２Ｍ個のイネーブル信号が入力されると共に前記２Ｍ個のイネーブル信号のうちいずれか一つと前記転送信号とが入力端子に入力される相補型トランジスタからなるＡＮＤ回路と(ii)前記ＡＮＤ回路の出力端子に接続されたインバータ回路とを含んで構成されている。
【００２０】
この態様によれば、出力制御手段は、ＡＮＤ回路とインバータ回路とを含んで構成される。即ち、出力制御手段はＡＮＤ回路及びインバータ回路を含む論理回路を含んでいる。このうち、ＡＮＤ回路は、相補型トランジスタからなる単純なデュアルゲート回路である。このように簡易な構成とすることで、回路の形成領域を狭めることができ、容易に狭ピッチ化を図ることが可能となる。尚、インバータ回路も勿論、同様に相補型トランジスタで構成することができる。
【００２１】
走査線駆動部では、シフトレジスタが転送信号を出力すると、これに合わせて、イネーブル期間が相異なる複数のイネーブル信号が入力される。これら転送信号及びイネーブル信号の夫々は出力制御手段に入力され、ＡＮＤ回路及びインバータ回路を含む論理回路において論理積が求められる。その結果、複数のパルス信号が、夫々対応するイネーブル期間に応じた相異なる期間に、所定の走査線に対し出力される。
【００２２】
本発明の電気光学装置用駆動回路の他の態様では、前記出力制御手段は、前記シフトレジスタの前記転送信号の出力期間内に、前記２Ｍ個のイネーブル信号の入力タイミングに応じて前記出力期間における前記パルス信号の入力対象である２Ｍ本の走査線に対し、順に前記パルス信号を供給する。
【００２３】
この態様では、一度に選択される２Ｍ本の走査線が順次水平走査されるので、２Ｍ個の部分面に対する書き込みが並行して行われる。また、一度に選択される２Ｍ本の走査線は、転送信号の出力期間内に走査されることから、例えば、転送信号の出力期間を通常の一水平走査期間に対応させると、２Ｍ倍の倍速駆動を行うことができる。
【００２４】
本発明の電気光学装置用駆動回路の他の態様では、前記２Ｍ個のイネーブル信号の各信号線は、前記表示面と前記シフトレジスタとの間に延設され、前記２Ｍ個の部分面の各々から一本ずつ選択される、前記部分面内での配列順が相異なる走査線に対応するように支線が分岐している。
【００２５】
この態様では、２Ｍ個の部分面の夫々に２Ｍ個のイネーブル信号が供給され、しかも、信号の入力対象とする２Ｍ個の部分面の各々から一本ずつ選択される走査線の組み合わせは、イネーブル信号毎に異なっている。従って、入力されるイネーブル信号が相異なる走査線に対して同時に転送信号を出力するようにすれば、２Ｍ個の部分面をこれら２Ｍ個のイネーブル信号を使って並行走査することができる。尚、ここでいう「支線」とは、ある１つのイネーブル信号に注目したときに、そのイネーブル信号を２Ｍ個の部分面の夫々に供給すべく、２Ｍ個の部分面の夫々に対応して延設されるように分岐した２Ｍ本の信号線を指している。該２Ｍ本の信号線は夫々、部分面内での配列順が相異なる走査線に対して信号を供給する。
【００２６】
また、こうした動作を可能とするため、各イネーブル信号を供給する２Ｍ本の信号線は、２Ｍ個の部分面に対応して満遍なく引き回されるため、信号線の長さに起因する信号の形状変化等の悪影響が防止される。従って、このように走査線駆動回路を構成することで、電気光学装置を適正に駆動させることが可能である。
【００２７】
本発明の電気光学装置用駆動回路の他の態様では、前記走査線駆動回路部及び前記データ線駆動回路部は、一画面分の表示期間内に、一画面分の画像信号の書き込みを一回毎に極性を反転させながら連続してｎ回行う。
【００２８】
この態様では、駆動回路を倍速駆動させ、各フィールド期間内に、その期間に表示すべき画像を複数回繰り返して書き込む。前述のように、各フィールド期間においても、１フィールド分の所定の画像信号を、反転させながら繰り返し表示する。
【００２９】
面反転駆動においては、画素スイッチング用の薄膜トランジスタ（Thin Film Transistor：以下適宜、「ＴＦＴ」と呼ぶ）の特性に起因する蓄積電荷の極性に応じたリーク量の差によって、フィールドが切り替わるたびに画素電極の電位が上下に変動する現象が生じることがある。これは、通常ならば３０Ｈｚ程度のフィールド期間に対応する周期的な輝度変動、即ちフリッカとして視認される。そこで、駆動を倍速化することにより、輝度の変動を例えば６０Ｈｚ程度に倍周すれば、十分に周波数が高くなることから視認されなくなる。よって、この場合には、より表示品質を高めることが可能である。
【００３０】
上述した出力制御手段がＡＮＤ回路とインバータ回路とを含んで構成されている態様では、前記走査線駆動部は、前記奇数番目の部分面及び前記偶数番目の部分面の夫々における、又は前記部分面内における前記画素部の水平走査を、前記データ線に沿った方向の順序についてランダムな順序で行うように構成してもよい。
【００３１】
このように構成すれば、走査対象となる画素部は、正極性の部分面と負極性の部分面とから交互に選択されるが、極性毎に見た又は部分面内における画素部の走査順序は、データ線に沿った方向の順序についてランダムとなっている。このように走査順序がランダムであっても、画素行間における横電界の発生を各部分面内で相殺或いは均一化することで、該横電界の悪影響が顕在化することを抑制できる。
【００３２】
上述した出力制御手段がＡＮＤ回路とインバータ回路とを含んで構成されている態様では、前記ＡＮＤ回路におけるトランジスタの閾値電圧は、前記インバータ回路のインバータとしての閾値電圧よりも小さいように構成してもよい。
【００３３】
このように構成すれば、ＡＮＤ回路の「Ｌｏｗ」出力に、内部のトランジスタの閾値電圧が重畳されていても、後段のインバータ回路はこれを「Ｌｏｗ」として動作する構成となっている。例えば、本発明のＡＮＤ回路においては、トランジスタの導通時に転送信号が印加されない（即ち、印加電圧が０Ｖ）ことをもって「Ｌｏｗ」を出力する場合がある。このときの出力には閾値電圧（例えば１．５Ｖ）が重畳されているために、信号出力は０Ｖではなく、例えば１．５Ｖ程度の実効値をもつ。しかしながら、インバータ回路のインバータとしての閾値電圧がこの実効値よりも大きければ、この程度のＬｏｗ電圧のぶれは無視することができ、結果的に正常な論理出力を得ることができる。
【００３４】
上述した出力制御手段がＡＮＤ回路とインバータ回路とを含んで構成されている態様では、前記ＡＮＤ回路及び前記インバータ回路は、前記複数の走査線の各々に対応する複数の単位回路からなり、該複数の単位回路の夫々は、前記表示面に隣接すると共に互いに並列する複数の単位領域に形成されていてもよい。
【００３５】
このように構成すれば、ＡＮＤ回路及びインバータ回路は、走査線と１対１対応する単位回路を単位として構成されている。そして、単位回路の一つ一つは、表示面に隣接する単位領域内に形成され、走査線と対応して互いに並列している。前述したように、本発明に係るＡＮＤ回路は簡易な構成であるため、こうした単位回路として実現可能であり、また単位領域の幅を狭くして狭ピッチ化を図る場合にも十分対応可能である。
【００３６】
本発明の電気光学装置は上記課題を解決するために、上述した本発明の電気光学装置用駆動回路（但し、その各種態様を含む）を備える。
【００３７】
本発明の電気光学装置によれば、上述した本発明の電気光学装置用駆動回路を具備しているので、高品位の表示が可能であり、同時に狭ピッチ化を図ることが可能である。尚、この電気光学装置は、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネル等の各種電子機器に適用することができる。その他、本発明の電気光学装置により、例えば、電子ペーパ等の電気泳動装置や、電子放出素子を利用した表示装置（Field Emission Display及びSurface-Conduction Electron-Emitter Display）等を実現することも可能である。
【００３８】
本発明の電気光学装置用駆動方法は上記課題を解決するために、互いに交差して延びる複数のデータ線及び複数の走査線と、各々が前記データ線及び前記走査線に接続され、表示面を構成する複数の画素部とを備えた電気光学装置に適用される電気光学装置用駆動方法であって、前記表示面が前記走査線に沿った分割線により夫々ｎ（但し、ｎは２以上の自然数）本の走査線を含むように分割されてなる２Ｍ（但し、Ｍは自然数）個の部分面のうち前記データ線に沿った方向に奇数番目の部分面を構成する前記画素部を、第１の周期で面反転駆動すると共に、前記複数の部分面のうち偶数番目の部分面を構成する前記画素部を、前記第１の周期と相補の第２の周期で面反転駆動し、前記２Ｍ個の部分面の各々から一本ずつ選択される走査線に対して同時に転送信号を出力すると共にイネーブル期間が相異なる２Ｍ個のイネーブル信号を出力し、前記イネーブル信号と前記転送信号とに基づいて前記パルス信号を出力することにより、前記奇数番目の部分面を構成する画素部に対する水平走査と前記偶数番目の部分面を構成する画素部に対する水平走査とを交互に行う。
【００３９】
本発明の電気光学装置用駆動方法では、前述した本発明の電気光学装置用駆動回路の場合と同様に、一つの表示面が水平方向に略等分されてなる部分面毎に面反転駆動を行う。その際、隣接する部分面同士が、各フィールド期間において逆極性となるように駆動する。
【００４０】
本発明の電気光学装置用駆動方法によれば、上述した本発明の電気光学装置用駆動装置の場合と同様に、部分面毎に面反転を行うことで、例えばライン反転駆動方式において問題となるライン間の境界における横電界の発生を抑制しつつ、同時に、表示面全域を面反転させる通常の面反転駆動方式において問題となるフリッカを抑制することが可能となる。
【００４１】
しかも本発明の電気光学装置用駆動方法によれば、前記２Ｍ個の部分面の各々から一本ずつ選択される走査線に対して同時に転送信号を出力すると共にイネーブル期間が相異なる２Ｍ個のイネーブル信号を出力し、前記イネーブル信号と前記転送信号とに基づいて前記パルス信号を出力すること、例えばイネーブル信号と転送信号との論理積を前記パルス信号として出力することにより、前記奇数番目の部分面を構成する画素部に対する水平走査と前記偶数番目の部分面を構成する画素部に対する水平走査とを交互に行う。
【００４２】
この態様によれば、水平走査を奇数番目の部分面を構成する画素部と偶数番目の部分面を構成する画素部とに交互に行うので、前述した従来からの問題点（データ線電位に影響される時間が長い分だけ、画面下側における蓄積電荷のリーク量が多く、輝度に上下方向の傾斜がつく）と併せて、直流の信号成分を排除するように駆動することによって蓄積電荷のリーク全般を防止し、表示ノイズを極めてよく抑えることを可能とする。
【００４３】
本発明の電気光学装置用駆動方法の一態様では、前記論理積を前記パルス信号として出力する際に、(i)該複数のイネーブル信号のうちいずれか一つと前記転送信号とが入力端子に入力される相補型トランジスタからなるＡＮＤ回路と(ii)前記ＡＮＤ回路の出力端子に接続されたインバータ回路とを利用して出力する。
【００４４】
この態様によれば、上述した本発明の電気光学装置用駆動回路に係る出力制御手段がＡＮＤ回路とインバータ回路とを含んで構成されている態様の場合と同様に、ＡＮＤ回路及びインバータ回路を含む論理回路において論理積が求められ、その結果、複数のパルス信号が、夫々対応するイネーブル期間に応じた相異なる期間に、所定の走査線に対し出力される。
【００４５】
本発明のこのような作用及び他の利得は次に説明する実施の形態から明らかにされる。
【発明を実施するための最良の形態】
【００４６】
以下では、本発明の実施の形態について図を参照しつつ説明する。以下の実施形態は、本発明の電気光学装置を液晶装置に適用したものである。
【００４７】
＜１：第１実施形態＞
先ず、本発明の電気光学装置に係る第１実施形態について、図１から図１５を参照して説明する。
【００４８】
＜１−１：電気光学装置の構成＞
まず、本実施形態における電気光学装置の構成について、図１から図４を参照して説明する。図１は、ＴＦＴアレイ基板をその上に形成された各構成要素と共に対向基板の側から見た電気光学装置の平面図であり、図２は、図１のＨ−Ｈ’断面図である。図３は、本実施形態に係る電気光学装置のうち、画素部の等価回路を表している。図４は、駆動回路部を含むブロック図である。
【００４９】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００５０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００５１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５２】
画像表示領域１０ａの周辺に位置する周辺領域のうち、シール材５２が配置された領域の外側には、データ線駆動回路１０１及び外部回路接続端子１０２が、ＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００５３】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５４】
図２において、ＴＦＴアレイ基板１０上には、画素スイッチング用ＴＦＴや各種配線等の上に画素電極９ａが、更にその上から配向膜が形成されている。他方、対向基板２０上には、対向電極２１の他、格子状又はストライプ状の遮光膜２３が、更にその上から配向膜が形成されている。また、液晶層５０は、例えば一種又は数種類のネマティック液晶を混合した液晶からなり、これら一対の配向膜間で、所定の配向状態をとる。
【００５５】
尚、ＴＦＴアレイ基板１０上には、データ線駆動回路１０１、走査線駆動回路１０４等に加え、例えば、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５６】
図３に示したように、画像表示領域１０ａにおいては、複数の走査線３ａ及び複数のデータ線６ａが相交差して配列しており、その線間に、走査線３ａ，データ線６ａの各一により選択される画素部が設けられている。各画素部には、ＴＦＴ３０、画素電極９ａ及び蓄積容量７０が設けられている。ＴＦＴ３０は、データ線６ａから供給される画像信号Ｓ１、Ｓ２、…、Ｓｎを選択画素に印加するために設けられ、ゲートが走査線３ａに接続され、ソースがデータ線６ａに接続され、ドレインが画素電極９ａに接続されている。画素電極９ａは、後述の対向電極２１との間で液晶容量を形成し、入力される画像信号Ｓ１、Ｓ２、…、Ｓｎを画素部に印加して一定期間保持するようになっている。蓄積容量７０の一方の電極は、画素電極９ａと並列してＴＦＴ３０のドレインに接続され、他方の電極は、定電位となるように、電位固定の容量配線４００に接続されている。
【００５７】
この電気光学装置は、例えばＴＦＴアクティブマトリクス駆動方式を採り、走査線駆動回路１０４（図１参照）から各走査線３ａに走査信号Ｇ１、Ｇ２、…、Ｇ２ｍを後述する順序で印加すると共に、それによってＴＦＴ３０がオン状態となる水平方向の選択画素部列に対し、データ線駆動回路１０１（図１参照）からのデータ信号Ｓ１、Ｓ２、…、Ｓｎを、データ線６ａを通じて印加するようになっている。この際、データ信号Ｓ１、Ｓ２、…、Ｓｎを各データ線６ａに線順次に供給してゆくようにしてもよいし、複数のデータ線６ａ（例えばグループ毎）に同じタイミングで供給するものとしてもよい。これにより、画像信号が選択画素に対応する画素電極９ａに供給される。ＴＦＴアレイ基板１０は、液晶層５０を介して対向基板２０と対向配置されているので（図２参照）、以上のようにして区画配列された画素領域毎に液晶層５０に電界を印加することにより、両基板間の透過光量が画素領域毎に制御され、画像が階調表示される。また、このとき各画素領域に保持された画像信号は、蓄積容量７０によりリークが防止される。
【００５８】
図４において示したように、本実施形態の電気光学装置の駆動回路部６０は、上述したデータ線駆動回路１０１、走査線駆動回路１０４の他、コントローラ６１、第１フレームメモリ６２、第２フレームメモリ６３の２画面分のフレームメモリ、ＤＡコンバータ６４等から構成されている。コントローラ６１には、垂直同期信号Ｖsync、水平同期信号Ｈsync 及び画像信号DATAが入力される。そして、コントローラ６１は、垂直同期信号Ｖsync、水平同期信号Ｈsyncに基づく各構成要素の動作タイミング制御、第１フレームメモリ６２、第２フレームメモリ６３の書き込み／読み出しの制御、及び、書き込む走査線３ａに対応した画像信号DATAのフレームメモリからＤＡコンバータ６４への出力を行う。第１フレームメモリ６２及び第２フレームメモリ６３は、交互に、例えば１フレーム毎に、一方に外部入力された１フレーム分の画像信号DATAを一時的に蓄えると共に、他方からは蓄積した画像信号DATAを表示用に出力させるように利用される。ＤＡコンバータ６４は、フレームメモリから読み出された画像信号DATAをＤＡ変換し、データ線駆動回路１０１に出力するものである。データ線駆動回路１０１は、この入力信号に基づく出力として、データ信号Ｓｘを対応するデータ線６ａに印加する。
【００５９】
走査線駆動回路１０４は、具体的には後述するが、コントローラ６１からクロック信号ＣＬＹ、反転クロック信号ＣＬＹ' の入力によって基本的な線順次の水平走査が可能となっている。更に、ここでは、一つの駆動回路でありながらスタートパルスを同時に２つ生成出力すると共に、それらの走査信号としての出力タイミングをずらすためのイネーブル信号ＥＮＢ１及びＥＮＢ２が入力される構成となっているために、以下に説明するような順序で走査信号Ｇｘを走査線３ａに印加する駆動方式をとることができる。
【００６０】
＜１−２：電気光学装置の駆動方法＞
次に、このような電気光学装置の駆動方法について図５から図９を参照して説明する。図５及び図６は、本実施形態の駆動方法を概念的に説明するための図であり、図７は、画面上の極性の変化を時系列で表したもの、図８は、任意の１水平期間の瞬間を見た画面のイメージを表したものである。図９は、互いに相補的な極性で駆動される領域の面積の差分に対する、画素部における電荷リーク量の変化を示している。
【００６１】
本実施形態では、図５のように、一画面が上下に略等しく分割されてなる２つの部分面２０１及び２０２の各画素部を、互いに相補となる周期で、本発明に係る「面反転駆動」の一例としてフィールド反転駆動させる。ここでは、この周期を２分の１フィールドとする。即ち、走査線駆動回路１０４及びデータ線駆動回路１０１は倍速駆動され、部分面２０１及び２０２に対するデータ信号Ｓｘの書き込みは１フィールド期間に２画面分行われる。具体的には、１つのフィールドデータを互いに極性の異なる第１，第２の２つのフィールドデータに分け、これらを１／２垂直期間だけシフトさせて重ね書きする。これは、フレームメモリ６２、６３を用いることで行うことができる。このとき、データ線駆動回路１０１は、１／２フィールド周期でデータ信号Ｓｘの極性を反転させると同時に、一画面においては部分面２０１と部分面２０２とでデータ信号Ｓｘの極性を異ならせるように駆動する。
【００６２】
更に、図６のように、各画面の水平走査は、部分面２０１の画素部と部分面２０２を構成する画素部とで交互に行う。即ち、データ信号Ｓｘの書き込みは、部分面２０１及び２０２に対し並行して行われる。この様子を、時系列的に表したのが図７である。
【００６３】
図７において、例えば第１水平期間では、第２ｍ番目の走査線３ａが走査信号Ｇ2mにより走査され、負電位のデータ信号Ｓｘが書き込まれる。第２水平期間では第ｍ＋１番目の走査線３ａが走査信号Ｇm＋1により走査され、第１水平期間では負電位であった画素部に正電位のデータ信号Ｓｘが書き込まれる。第３水平期間では第１番目の走査線３ａが走査信号Ｇ1により走査され、第１、第２水平期間では正電位であった画素部に負電位のデータ信号Ｓｘが書き込まれる。以降は、このような選択書き込み動作が繰り返される。従って、画面の半分、つまり部分面２０１及び２０２を走査し終えたときに、正極性領域と負極性領域とが完全に反転し、１画面分の書き換えが行われたことになる。この方法によると、全画面を走査すれば、書き換えは２度行われる事になり、結果的に入力画像信号に対して１垂直期間が１／２となる。
【００６４】
この結果、図８に示すように、ある１水平期間に着目すると、例えば走査信号Ｇ3〜Ｇｍ＋2に走査される画素部は正極性電位のデータが書き込まれた領域となり、走査信号Ｇ1〜Ｇ2及びＧm＋3〜Ｇ2mに走査される画素部は負極性電位のデータが書き込まれる領域（以下、単に負極性領域という）となるというように、画面内が正極性領域と負極性領域に分割されたような状態となる。
【００６５】
図８中で、正極性の領域と負極性の領域との境界２０３ＢＲ１及び２０３ＢＲ２は、画面内における上から下への垂直走査に従って、上から下へと移動する。即ち、横電界が発生することで画質が悪化する境界２０３ＢＲ１及び２０３ＢＲ２は夫々、一所に止まることなく、垂直に面内走査されるので、係る横電界による画質劣化は、視覚上、殆ど目立たなくなる。
【００６６】
このように、本実施形態では、画面の半分の広さを持つ正極性領域と負極性領域とが１垂直期間で反転することになり、部分面２０１及び２０２の各々に対しては面反転駆動が行われる。１垂直期間において、任意の画素部と隣接する画素部との間は２／２ｍの時間だけは逆極性電位となるが、残りの大部分の時間（２ｍ−２）／２ｍは同極性電位となるので、横電界による液晶層５０における配向不良は殆ど発生しない。
【００６７】
一方、データ線６ａ側は、信号極性については部分面２０１と部分面２０２とで反転させているので、従来の面反転方式で駆動したときのように、画面の上側と下側とでＴＦＴ３０からの電荷リーク量に大きな差が生じることがなく、画面の場所による表示の不均一を回避することができる。
【００６８】
更に、ここでは、水平走査を、正極性の部分面と負極性の部分面とに対し交互に行うことから、各データ６ａ線に供給されるデータ信号Ｓｘは交流化されることになる。このため、データ線６ａの電位は、常に正負の間を変動して一方の極性に偏らないので、画素部の蓄積容量７０に蓄積された電荷をリークさせるおそれが低減される。
【００６９】
尚、こうした理由で、正極性領域と負極性領域、即ち部分面２０１及び２０２の面積は、略等しいことが望ましい。現実には、両者の差分が面積比率で１０パーセント以内に抑えられていることが好ましい。図９は、部分面２０１及び２０２のように、互いに相補的な極性で駆動される領域の面積の差分に対する、画素部における電荷リーク量を示している。このように、電荷リーク量は、極性の異なる領域同士の総面積の差に比例して増大することがわかっている。このリーク量は、閾値Ｌthを超えると、画面のちらつき等として視認される。そして、リーク量を閾値Ｌth以下に抑えるということは、前記面積の差分を１０パーセント以内に抑え、画像信号を交流化することと等価である。
【００７０】
また本実施形態では、倍速駆動により、走査周波数は入力画像信号周波数の倍の１００Ｈｚ以上となるので、人間の視覚上で認識可能なフリッカを確実に抑制することができる。
【００７１】
次に、この駆動方法を実現するための具体的手段について図１０から図１５を参照して説明する。
【００７２】
図１０は、走査線数を４本とした場合の走査線駆動回路１０４の構成例を表しており、図１１は図１０に示した走査線駆動回路１０４におけるタイミングチャートである。また図１２は走査線駆動回路１０４におけるＮＡＮＤ回路６７の構成を表し、図１３はＮＡＮＤ回路６７の真理値表を表している。更に、図１４及び図１５は、ＮＡＮＤ回路６７の具体的なレイアウト構成を表している。
【００７３】
図１０に示したように、走査線駆動回路１０４は、例えば図４に示したコントローラ６１からクロック信号ＣＬＹ、反転クロック信号ＣＬＹ' が入力されるシフトレジスタ６６と、シフトレジスタ６６からの出力が入力される、２ｍ本の走査線３ａに対応した２ｍ個の論理回路からなる出力制御部６９とを有している。論理回路は、例えばＮＡＮＤ回路６７及びＮＯＴ回路６８から構成され、各ＮＡＮＤ回路６７には、シフトレジスタ６６からの出力とイネーブル信号ＥＮＢ１又はＥＮＢ２が入力される。
【００７４】
尚、ＮＡＮＤ回路６７の代わりに、シフトレジスタ６６からの出力とイネーブル信号とが入力されるトランスミッションゲートを用いても同様の機能をなすことができる。
【００７５】
イネーブル信号ＥＮＢ１の配線は、部分面２０１では第１番目のＮＡＮＤ回路６７に接続されるが、部分面２０２では、第２番目（即ち全体では第４番目）のＮＡＮＤ回路６７に接続される。イネーブル信号ＥＮＢ２の配線は、その逆に第２番目、第１番目（即ち全体では第３番目）のＮＡＮＤ回路６７に接続され、イネーブル信号ＥＮＢ１及びＥＮＢ２は、ＮＡＮＤ回路６７との接続の順番が相互に入れ違うようになっている。従って、このように走査線駆動回路１０４を構成することで、電気光学装置を適正に駆動させることができる。
【００７６】
図１１に示したように、シフトレジスタ６６からのスタートパルスＳＲ１〜ＳＲ４は、部分面２０１及び２０２をあたかも同時に水平走査するように、夫々の走査線３ａに対して同じタイミングで出力される。即ち、部分面２０１及び２０２各々の一本目の走査線３ａに対応するスタートパルスＳＲ１、ＳＲ３と、二本目の走査線３ａに対応するスタートパルスＳＲ２、ＳＲ４とは、２水平期間毎に交番的に出力される。一方、イネーブル信号ＥＮＢ１，ＥＮＢ２は、水平期間毎に交番的に立ち上がる。よって、その立ち上がりタイミング時に出力されたスタートパルスが論理回路において選択され、走査信号として走査線３ａに出力される。その結果、走査信号Ｇ１〜Ｇ４は図示のように走査信号Ｇ１、Ｇ３，Ｇ２、Ｇ４の順に出力され、前述のような水平走査が実現される（図６又は図７参照）。
【００７７】
以下、本実施形態のＮＡＮＤ回路６７の構成について説明する。
【００７８】
ＮＡＮＤ回路６７の各々は、図１２のように、ｐ型ＭＯＳＦＥＴ６７Ａ及びｎ型ＭＯＳＦＥＴ６７ＢからなるＣＭＯＳ（Complementary Metal-Oxide Semiconductor）インバータ、即ち“相補型インバータ”として構成されたＡＮＤ回路と、その出力側端子に接続されたＮＯＴ回路６７Ｃとを含む、極めて簡素な構成となっている。ｐ型ＭＯＳＦＥＴ６７Ａ及びｎ型ＭＯＳＦＥＴ６７Ｂは、イネーブル信号ＥＮＢ１又はＥＮＢ２の信号線とグラウンドとの間に直列に接続されており、共に、ゲート端子にスタートパルスＳＲの反転信号ＳＲ' が入力されるように構成されている。反転信号ＳＲ' は、スタートパルスＳＲを反転出力させてもよいが、シフトレジスタ６６内における信号反転を前提としてシフトレジスタ６６の内部信号をスタートパルスＳＲとみなし、シフトレジスタ６６からの出力が反転信号ＳＲ' となる構成とすれば、より簡単に構成できる。尚、ＮＯＴ回路６７ＣもまたＣＭＯＳインバータで構成することができ、ＡＮＤ回路と同一の回路構成としてもよい。
【００７９】
図１３は、このＡＮＤ回路の真理値表である。ここで、入力されるスタートパルスＳＲが「Ｈｉｇｈ」且つイネーブル信号ＥＮＢが「Ｌｏｗ」のとき、ＭＯＳＦＥＴ６７Ａ及び６７Ｂのゲート電圧は「Ｌｏｗ」となり、ｐ型ＭＯＳＦＥＴ６７Ａがオン状態、ｎ型ＭＯＳＦＥＴ６７Ｂがオフ状態となる。そこで、導通したｐ型ＭＯＳＦＥＴ６７Ａにイネーブル信号ＥＮＢの電位０Ｖが印加されるが、ｐ型ＭＯＳＦＥＴ６７Ａのソースードレイン間には閾値電圧（例えば１．５Ｖ）が生じているために、Ｏ点における信号出力は０Ｖではなく、例えば１．５Ｖ程度の実効値をもつ。
【００８０】
しかしながら、ここでは、Ｏ点の後段に設けたＮＯＴ回路６７Ｃは、インバータとしての閾値電圧が７．５Ｖ程度とされているために、１．５Ｖ程度のＬｏｗ電圧のぶれは無視することができ、前出の場合の信号出力も「Ｌｏｗ」として扱うことができる。尚、閾値電圧７．５Ｖとは、このＮＯＴ回路６７Ｃが、例えば電源電圧１５Ｖで駆動される通常のインバータであれば実現される。言い換えると、このＮＡＮＤ回路６７は、走査信号Ｇｘの出力側回路という高圧回路系に適用されることで、正常な動作が担保されている。
【００８１】
また、本実施形態の走査線駆動回路１０４は、例えば図１４のような回路レイアウトで構成される。即ち、シフトレジスタ６６、出力制御部６９の各形成領域は、画像表示領域１０ａに隣接しており、夫々の走査線３ａに対応する単位回路が、単位領域Ｗに形成されている。ＮＡＮＤ回路６７は、図中に斜線で示した出力制御部６９の単位領域Ｗに収まるように、例えば図１５に示したレイアウトで形成される。尚、図１５は、ＮＡＮＤ回路６７のうちＡＮＤ回路であるＣＭＯＳの構成を表している。
【００８２】
通常のＮＡＮＤ回路は６ゲートで構成されるが、これを、細い単位領域Ｗ内に形成することは困難である。特に、画素ピッチが狭められるにつれて単位領域Ｗの幅もより狭くなってきており、例えば１０μｍ程度のピッチになれば、せいぜい２ゲートを並べて形成するくらいのスペースしか残されていない。従って、本実施形態のように、出力制御部６９を極めて簡素な構成とすることで、電気光学装置の製造を容易とするほか、狭ピッチ化を更に進めることが可能となる。また、ゲート数が少ないことから、駆動回路部６０における消費電力を低減することも可能である。
【００８３】
また、ここでのＡＮＤ回路は、図１５に示したように、２つの単位回路がＩ線において鏡面対称となっており、２個周期の構造となっている。そのため、効率よく作り込むことができ、装置の狭ピッチ化が可能となる。
【００８４】
＜２：第２実施形態＞
以下、本発明の電気光学装置に係る第２実施形態について図１６から図１８を参照して説明する。
【００８５】
図１６は、第２実施形態に係る電気光学装置の主要部の構成を表している。図１７は、当該電気光学装置の駆動方法を表すタイミングチャートであり、図１８は、データが書き込まれてゆく駆動中の画面の状態を、図１７のタイミングチャートに対応させて時系列で表したものである。
【００８６】
本実施形態の電気光学装置は、第１実施形態に対し基本構成はほぼ同様であるが、画面を４つの部分面４０１〜４０４に分割して面反転駆動を行う点で異なっている。従って、第１実施形態と同様の構成要素については、同一の符号を付してその説明を適宜省略するものとする。
【００８７】
部分面４０１〜４０４は、相隣接する面が相補の周期でフィールド反転駆動される領域であり、走査線３ａが４本ずつ備えるように分割されている。即ち、部分面４０１〜４０４の各面積は互いに等しくなっている。走査線駆動回路４１４は、シフトレジスタ４６６によって一つの駆動回路でありながら同時に４つのスタートパルスＳＲを生成出力すると共に、走査信号の出力タイミングをずらすための４つのイネーブル信号ＥＮＢ１〜ＥＮＢ４が出力制御部４６９に入力される構成となっている。尚、スタートパルスＳＲは、各部分面４０１〜４０４に対して一つずつ合計４つが、水平走査期間をパルス幅として出力される。イネーブル信号ＥＮＢ１〜ＥＮＢ４は、１／４水平走査期間をパルス幅とし、一水平走査期間に夫々タイミングをずらして出力される。
【００８８】
図１７に示した駆動方法では、水平走査を各部分面４０１〜４０４の画素部に対し順に行っている。例えば第１水平期間では、第１ｍ番目の走査線３ａが走査信号Ｇ1mにより走査され、画素部に正電位のデータ信号Ｓｘが書き込まれる。第２水平期間では第５番目の走査線３ａが走査信号Ｇ5により走査され、画素部に負電位のデータ信号Ｓｘが書き込まれる。第３水平期間では第９番目の走査線３ａが走査信号Ｇ9により走査され、画素部に正電位のデータ信号Ｓｘが書き込まれる。そして、第４水平期間では第１３番目の走査線３ａが走査信号Ｇ13により走査され、画素部に負電位のデータ信号Ｓｘが書き込まれる。以降は、このような選択書き込み動作が部分面４０１〜４０４に対して順繰りに行われる。
【００８９】
このときの走査信号Ｇｘは、４つのスタートパルスＳＲ１、ＳＲ５、ＳＲ９、ＳＲ１３の出力タイミングをイネーブル信号ＥＮＢ１〜ＥＮＢ４により互いにずらすと同時に夫々の出力期間を１／４ずつとすることで、互いに異なる部分面４０１〜４０４の水平走査を並行して行う。一方、データ線駆動回路１０１は、水平走査と同期してデータ信号Ｓｘの極性を反転させると同時に、一画面においては部分面４０１及び４０３と部分面４０２及び４０４とでデータ信号Ｓｘの極性を異ならせるように駆動する。その結果、部分面４０１〜４０４の極性は交互に入れ替わるようにして駆動される（図１８参照）。
【００９０】
このように、水平走査を正極性の部分面と負極性の部分面とに対し交互に行うことから、各データ６ａ線に供給されるデータ信号Ｓｘは交流化される。このため、データ線６ａの電位は、常に正負の間を変動して一方の極性に偏らないので、画素部の蓄積容量７０に蓄積された電荷をリークさせるおそれが低減される。
【００９１】
尚、本実施形態においても、部分面４０１〜４０４の各々に対しては面反転駆動が行われるので、横電界による液晶層５０における配向不良は殆ど発生しない。また、画面の上側と下側とでＴＦＴ３０からの電荷リーク量に大きな差が生じることがなく、画面の場所による表示の不均一を回避することができる。
【００９２】
そして、図１８に示したように、画面の１／４つまり部分面４０１〜４０４を走査し終えたときに、正極性領域と負極性領域とが完全に反転し、１画面分の書き換えが行われたことになる。この方法によると、全画面を走査すれば、書き換えは４度行われる事になるので、走査線駆動回路４１４及びデータ線駆動回路１０１を４倍速で駆動すれば、入力画像信号に対して１垂直期間が１／４とされ、フリッカを確実に抑制することができる。
【００９３】
このように本実施形態によれば、第１実施形態と同様、コントラスト比低下や画素開口率の低下を阻止し、狭ピッチ化を図ることが可能である。また、電荷リークによる表示ノイズも防止することができ、表示品質を大きく改善することが可能である。尚、その他の効果についても第１実施形態と同様である。
【００９４】
＜３：変形例＞
次に、上記実施形態の変形例について図１９及び図２０を参照して説明する。
【００９５】
上記各実施形態では、各部分面の面積は相等しいものとしたが、部分面毎の大きさは必ずしも等しくなくともよい。そのような場合でも、相補の周期で反転駆動させる部分面の面積の総和を互いに略等しくなるようにすれば、この２種類の部分面に対して交互に水平走査することによってデータ信号を交流化して画素部に供給することができる。
【００９６】
図１９は、その一具体例として画面を３分割駆動する変形例を示している。この場合は、画面を部分面２０１と部分面２０２ａ及び２０２ｂとに分け、互いに相補の周期で反転駆動するものとしている。ここで、部分面２０１の面積Ｓ1と、部分面２０２ａ及び２０２ｂの総面積Ｓ2ａ＋Ｓ2bとは、等しく設定されている。そのため、これら２種類の部分面の走査線数は相等しく、２種類の部分面を交互に水平走査することができる。水平走査の順序は、いろいろ考えることができるが、例えば、図示したように部分面２０２ａ→部分面２０２→部分面２０２ｂと順繰りに行い、各部分面内では上から順次走査としてもよい。
【００９７】
図２０は、画面を７分割駆動する変形例を示している。この場合は、画面を７つの部分面に分け、隣接部分面を互いに相補の周期で反転駆動するものとしている。また、駆動周期で分けられる２種類の部分面の総面積、即ち、Ｓ1ａ＋Ｓ1b＋Ｓ1c＋…とＳ2ａ＋Ｓ2b＋Ｓ2c＋…とは等しく設定されている。そのため、これら２種類の部分面の走査線数は相等しく、交互に水平走査できる。水平走査の順序は、先の変形例のように規則正しく行う方法以外に、図示したようにランダムに（但し、必ず極性反転周期が異なる部分面を交互に選択するようにして）行うようにすることもできる。
【００９８】
＜４：電子機器＞
次に、以上詳細に説明した電気光学装置をライトバルブとして用いた電子機器として、投射型カラー表示装置の一具体例について図２１を参照して説明する。ここに、図２１は、投射型カラー表示装置の図式的断面図である。
【００９９】
図２１において、第１又は第２実施形態における投射型カラー表示装置の一例たる液晶プロジェクタ１１００は、駆動回路がＴＦＴアレイ基板上に搭載された液晶装置を含む液晶モジュールを３個用意し、それぞれＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として拡大投射される。
【０１００】
この投射型カラー表示装置では、上記実施の形態の電気光学装置を用いたことにより、高精細で、フリッカ等のノイズが極めて少ない、均一性に優れた表示が可能である。
【０１０１】
本発明は、上述した実施形態に限られるものではなく、請求の範囲及び明細書全体から読み取れる発明の要旨、あるいは思想に反しない範囲で適宜変更可能であり、そのような変更を伴う電気光学装置用駆動回路及び電気光学装置用駆動方法、並びに、該電気光学装置もまた、本発明の技術的範囲に含まれるものである。例えば、上記実施形態では相補の周期でフィールド反転させる部分面として、画面上を２つの部分面或いは４つの部分面に分割して駆動する例を示したが、分割数はこれに限るものではなく、更に分割数を多くしても良い。但し、分割数を多くすればする程、横電界が発生する部分面同士の境界が増えることになる。
【０１０２】
更に、上記実施形態ではＴＦＴを用いたアクティブマトリクス型の液晶装置を例に挙げて説明したが、本発明はこれに限定されず、例えば画素スイッチング素子にＴＦＤ（Thin
Film Diode）を用いたものや、パッシブマトリクス型のものなどに対しても適用可能である。また、液晶装置以外の、時間的又は空間的な極性反転を伴ってマトリクス駆動を行うことが可能な電気光学装置も本発明の適用範囲である。そのような電気光学装置としては、例えば、エレクトロルミネッセンス装置や電気泳動装置、電子放出素子を利用した表示装置（Field Emission Display及びSurface-Conduction Electron-Emitter Display）等が挙げられる。
【図面の簡単な説明】
【０１０３】
【図１】電気光学装置の全体構成を示す平面図である。
【図２】図１のＨ−Ｈ'断面図である。
【図３】電気光学装置の画像表示領域を構成するマトリクス状に形成された複数の画素部における各種素子、配線等の等価回路である。
【図４】第１実施形態に係る電気光学装置の駆動系に係る構成を示すブロック図である。
【図５】第１実施形態に係る電気光学装置の駆動方法を説明するための図である。
【図６】第１実施形態に係る電気光学装置の駆動方法を説明するための図である。
【図７】第１実施形態に係る電気光学装置の駆動方法を説明するための図である。
【図８】第１実施形態に係る電気光学装置の駆動方法を説明するための図である。
【図９】第１実施形態に係る電気光学装置の駆動方法を説明するための図である。
【図１０】第１実施形態に係る電気光学装置の駆動回路の具体的構成を示す回路図である。
【図１１】第１実施形態に係る電気光学装置の駆動方法を説明するためのタイミングチャートである。
【図１２】図１０に示した駆動回路のうちＮＡＮＤ回路の具体的構成を示す回路図である。
【図１３】図１２に示したＮＡＮＤ回路の真理値表である。
【図１４】図１０に示した駆動回路の具体的な回路配置を示す図である。
【図１５】図１２に示したＮＡＮＤ回路の部分的な回路レイアウトを示す図である。
【図１６】第２実施形態に係る電気光学装置の駆動系に係る構成を示すブロック図である。
【図１７】第２実施形態に係る電気光学装置の駆動方法を説明するためのタイミングチャートである。
【図１８】第２実施形態に係る電気光学装置の駆動方法を説明するための図である。
【図１９】実施形態の変形例に係る電気光学装置の駆動方法を説明するための図である。
【図２０】実施形態の変形例に係る電気光学装置の駆動方法を説明するための図である。
【図２１】本発明の電気光学装置を適用した電子機器の実施形態としての投射型カラー表示装置の一例を示す図式的断面図である。
【符号の説明】
【０１０４】
３ａ…走査線、６ａ…データ線、９ａ…画素電極、１０ａ…画像表示領域、３０…ＴＦＴ、４００…容量配線、６０…駆動回路部、６６、４６６…シフトレジスタ、６７Ａ、６７Ｂ…ＭＯＳＦＥＴ、６７Ｃ…ＮＯＴ回路、６９，４６９…出力制御部、７０…蓄積容量、１０１…データ線駆動回路、１０４、４１４…走査線駆動回路、２０１、２０２…部分面、４０１〜４０４…部分面、Ｗ…単位領域、Ｇ1〜Ｇ2m…走査信号、ＳＲ…スタートパルス、ＥＮＢ…イネーブル信号。
【図１】
2005227757.tif 000003
【図２】
2005227757.tif 000004
【図３】
2005227757.tif 000005
【図４】
2005227757.tif 000006
【図５】
2005227757.tif 000007
【図６】
2005227757.tif 000008
【図７】
2005227757.tif 000009
【図８】
2005227757.tif 000010
【図９】
2005227757.tif 000011
【図１０】
2005227757.tif 000012
【図１１】
2005227757.tif 000013
【図１２】
2005227757.tif 000014
【図１３】
2005227757.tif 000015
【図１４】
2005227757.tif 000016
【図１５】
2005227757.tif 000017
【図１６】
2005227757.tif 000018
【図１７】
2005227757.tif 000019
【図１８】
2005227757.tif 000020
【図１９】
2005227757.tif 000021
【図２０】
2005227757.tif 000022
【図２１】
2005227757.tif 000023